(57)【要約】【課題】複数の方向で取り付けるのに適した、一体型探知照明装置を提供する。【解決手段】ドッキングベイを備えた第１接点は、装置における一方のあらかじめ決められた位置に電気的に備えられ、ドッキングベイを備えた第２接点は、装置のもう一方のあらかじめ決められた位置に電気的に備えられる。センサーモジュール(3)は、照明装置がある一方の取り付け方向に取り付けられるように、ドッキングベイを備えた他方の接点がプラグ手段(4)によりコードが抜かれた状態のときに、ドッキングベイを備えた一方の接点に電気的に接続される。センサーモジュール(3)は、装置の底側に常に配置されている。どの配置においても、前記装置は、放熱用の空気の排気孔(9)と排水用の水の排水口(8.8ａ)とを効果的に内蔵されている。【選択図】図１
2007012604.tif 000002
【特許請求の範囲】
【請求項１】
正面カバー(1)と装飾カバー(1a)と箱(1b)と１つのあるいは複数の光源とセンサーモジュール(3)とを備え、装置内に電気的に設けられているドッキングベイを備えた少なくとも２つの接点があり、ドッキングベイ(5)を備える第１接点が、前記装置の一方のあらかじめ決められた位置に電気的に設けられており、ドッキングベイ(5)を備える第２接点が、前記装置の他方のあらかじめ決められた位置に電気的に設けられており；一方の取り付け方向において、前記センサーモジュール(3)は、ドッキングベイ(5)を備える第２接点がプラグ手段(4)によりコードが抜かれた状態である場合、ドッキングベイ(5)を備える第１接点に電気的に接続されており；
他方の取り付け位置において、前記センサーモジュール(3)は、ドッキングベイ(5)を備える第１接点がプラグ手段(4)によりコードが抜かれた状態の場合、ドッキングベイ(5)を備える第２接点に電気的に接続されており；
前記装置は、複数の配置方向に適応され、前記センサモジュール(3)と前記ドッキングベイ(5)を備える作動可能な接点とは、ある一方の選択された配置方向に取り付けられたときに、前記装置の底側に常に配置されることを特徴とした一体型探知照明装置。
【請求項２】
配置方向としては、前記装置の縦方向と横方向とを含む請求項１に記載の一体型探知照明装置。
【請求項３】
前記センサーモジュール(3)は、ドッキングベイ(5)を備えた接点を組み込んだ歯止めあるいはスナップ機構(3a)により脱着可能に連結されている請求項１に記載の一体型探知照明装置。
【請求項４】
選択可能なフォーカシングビューのセンサーモジュール(3)は、前後のビューに用いられうる請求項３に記載の一体型探知照明装置。
【請求項５】
前記装置は、放熱のためにその上側に設けられた空気の排気孔(9)を内蔵される請求項１に記載の一体型探知照明装置。
【請求項６】
前記装置は、排水のためにその底側に設けられた水の排水口(8.8ａ)を内蔵される請求項１に記載の一体型探知照明装置。
【請求項７】
前記装置は、長方形あるいは矩形を含む直角形状である請求項１に記載の一体型探知照明装置。
【請求項８】
前記装置は、楕円形である請求項１に記載の一体型探知照明装置。
【請求項９】
前記装置は、円形である請求項１に記載の一体型探知照明装置。
【請求項１０】
前記装置は、三角形である請求項１に記載の一体型探知照明装置。
【発明の詳細な説明】
【技術分野】
【０００１】
本発明は、一体型駆動探知照明装置に関し、特に、複数の配置方向に適応できる一体型探知照明装置に関する。
【背景技術及び発明が解決しようとする課題】
【０００２】
従来の赤外線行動探知装置は、回転可能なランプアセンブリに電気的に接続されるが、その配置方向は実質的に変化しない。前記行動探知装置は、アークレンズアセンブリと熱センサ、或いはマイクロ波センサ又は音波センサ又はセンサの組み合わせとを備える。一般に、照明装置を制御する従来のセンサは、固定された配置方向に搭載する。前記センサは、前記装置にも恒久的に取り付けられている。照明装置を制御するセンサは、住宅、アパートの通路、階段、車のポーチ、庭及びそのようなもの向けの間接照明を備えておくための屋外照明器具として主に使用され、そのため、前記センサは、比較的暗い環境下での動きを検知する。この従来の技術における主な不都合は、照明装置が取り付けの際に監視される環境に適応する柔軟性に欠けるということである。
【発明の開示】
【課題を解決するための手段】
【０００３】
そこで、本発明は、上記課題を解決すべくなされたものであり、本発明に係る一体型探知照明装置は、正面カバー(1)と装飾カバー(1a)と箱(1b)と１つのあるいは複数の光源とセンサーモジュール(3)とを備え、装置内に電気的に設けられているドッキングベイを備えた少なくとも２つの接点があり、ドッキングベイ(5)を備える第１接点が、前記装置の一方のあらかじめ決められた位置に電気的に設けられており、ドッキングベイ(5)を備える第２接点が、前記装置の他方のあらかじめ決められた位置に電気的に設けられており；
一方の取り付け方向において、前記センサーモジュール(3)は、ドッキングベイ(5)を備える第２接点がプラグ手段(4)によりコードが抜かれた状態である場合、ドッキングベイ(5)を備える第１接点に電気的に接続されており；
他方の取り付け位置において、前記センサーモジュール(3)は、ドッキングベイ(5)を備える第１接点がプラグ手段(4)によりコードが抜かれた状態の場合、ドッキングベイ(5)を備える第２接点に電気的に接続されており；
前記装置は、複数の配置方向に適応され、前記センサモジュール(3)と前記ドッキングベイ(5)を備える作動可能な接点とは、ある一方の選択された配置方向に取り付けられたときに、前記装置の底側に常に配置されることを特徴とする。
【０００４】
特に、配置方向としては、前記装置の縦方向と横方向とを含むことが好ましい。
【０００５】
また、前記センサーモジュール(3)は、ドッキングベイ(5)を備えた接点を組み込んだ歯止めあるいはスナップ機構(3a)により脱着可能に連結されていることが好ましい。
【０００６】
また、選択可能なフォーカシングビューのセンサーモジュール(3)は、前後のビューに用いられうることが好ましい。
【０００７】
また、前記装置は、放熱のためにその上側に設けられた空気の排気孔(9)を内蔵されることが好ましい。
【０００８】
更に、前記装置は、排水のためにその底側に設けられた水の排水口(8.8ａ)を内蔵されることが好ましい。
【０００９】
尚、本発明に係る一体型探知照明装置は、長方形あるいは矩形を含む直角形状でもよく、或いは楕円形、或いは円形、或いは三角形の形状であってもよい。
【発明の効果】
【００１０】
長方形あるいは矩形の直角形状においては、２つの実質的な長辺側と２つの実質的な短辺側とがある。ドッキングベイを備える少なくとも2つの接点は、長辺側及び短辺側に電気的に配置される。縦方向に取り付けられた際には、短辺側は水平に、長辺側は垂直に配置される。ドッキングベイを備える一方の接点は、オペレーティング・モードにおけるセンサーモジュールと連動して、底の短辺側に配置される。ドッキングベイを備える他方の接点は、一方の長辺側に配置され、コードを抜かれて動作不能の状態にある。横方向に取り付けられた際には、長辺側が水平に、短辺側が垂直に配置される。ドッキングベイを備える一方の接点は、オペレーティング・モードにおけるセンサーモジュールと連動して、底の長辺側に配置される。ドッキングベイを備える他方の接点は、一方の短辺側に配置され、コードを抜かれて動作不能の状態にある。
【００１１】
楕円形状のものにおいては、実質的に２つの長辺側と２つの尖頭部とがある。ドッキングベイを備える一方の接点は、底の長辺側の中央に配置され、ドッキングベイを備える他方の接点は、突出した部分に配置される。
【００１２】
三角形状のものにおいては、それぞれが側面を向いている実質的に３つの尖頭部がある。ドッキングベイを備える一方の接点は、実質的な尖頭部の任意の位置に配置され、ドッキングベイを備える他方の接点は、反対の側面に配置される。
【００１３】
円形形状のものにおいては、短辺側と長辺側との明確な差異はない。取り付け方向は、装飾カバーのデザインなどのような他の要素に依存する。
【００１４】
換言すると、本発明は、複数の方向で取り付けられるのに適している。単純化するために、縦又は横方向のような２つの方向が、長方形の以下の記述において説明される。取り付け方向は、各々から互いに少なくとも９０度に配置される。ドッキングベイを備える接点は、装置の取り付け方向に対応するため、装置のあらかじめ決められた位置に配置される。装置が一方の方向に取り付けられると、ドッキングベイを備える接点は、常に装置の底側に配置され、そのためセンサーモジュールは、オペレーティングモードに接続される。センサーモジュールがドッキングベイを備える特定の接点に電気的に接続されると、ドッキングベイを備える特定の接点は、このように稼動する。他方の使われていない接点は、コードが抜かれ、動作不能のままである。
【発明を実施するための最良の形態】
【００１５】
図１に示すように、本発明の実施例は、長方形の箱型であり、装置は縦の方向に示されている。前記実施例は、箱(1b)の底側のセンサーモジュール(3)と、正面カバー(1)と、透明な装飾カバー(1a)との内部に光源を備える。長方形の箱(1b)の形状は、すべての部品と、水の進入を防ぎ放熱を容易する一体型ユニットの内部の探知照明装置の構成要素とを備えることができるものである。開口部(2)は、装置へ連結される特定のセンサーモジュール(3)のための窓の代わりとなっている、正面カバー(1)に備えられている。
【００１６】
前記箱(1b)の一方の短辺側の中央部には、ドッキングベイ(5)を備える第１接点が配置されている。また、前記箱(1b)の一方の長辺側の中央部には、ドッキングベイ(5)を備える第２接点が配置されている。この縦の方向においては、ドッキングベイ(5)を備える第１接点が作動し、ドッキングベイ(5)を備える第２接点が動作不能となる。ドッキングベイ(5)を備える作動可能な第１接点は、オペレーティング・モードのときに、特定のフォーカシングビューのセンサーモジュール(3)、及び光源に電気的に接続可能である。オペレーティング・モードでないときには、ドッキングベイ(5)を備える第１接点は、プラグ手段(4)をによって遮断され、動作不能となる。これは事故による感電死を防ぐためである。
【００１７】
図２に示すように、正面カバー(1)と装飾カバー(1a)とは、前記実施例より取り除かれた。センサーモジュール(3)は、長方形の箱(1b)の底側のドッキングベイ(5)を備える第１接点に配置されている。センサーモジュール(3)は、歯止めあるいはスナップ機構(3a)により脱着可能に連結され、光源と共有する電力供給源に電気的に接続される。前記箱の一方の長辺側にあるドッキングベイ(5)を備える第２接点は、プラグ手段(4)により閉鎖される。
【００１８】
図3と4と4bとによると、ドッキングベイ(5)を備える第１接点が、示されており、標準的な歯止めあるいはスナップ機構(3a)が着脱可能なセンサーモジュール(3)を連結すべく設けられている。したがって、前記センサーモジュール(3)は、歯止めあるいはスナップ機構(3a)の補助を備えた装置の底側に選択的に配置されている。前記機構(3a)は、選択可能なフォーカシングビューを備えるセンサーモジュール(3)が使用されることを可能にする。フォーカシングビューとしては、前方及び下方のビューを含む。
【００１９】
前記ドッキングベイ(5)を備える第１接点には、メスコネクタ(7)と歯止めあるいはスナップ機構(3a)とが備えられている。オスコネクタ(6)は、メスコネクタ(7)を電気的に接続するために前記センサーモジュール(3)の下面に備えられている。歯止めあるいはスナップ機構(3a)における連結部は、ドッキングベイ(5)からセンサーモジュール(3)を取り外すために適したツールの補助にて解除される。これは、光源の電気的な回路も切断する。
【００２０】
効果的な特徴は、光源用の個々のソケットが、ドッキングベイを備えたそれぞれの接点に供給されることを、本発明にさらに組み込められる。通常、ドッキングベイを備えた一方の接点に取り付けられる光源の位置を変える必要はない。さらに、柔軟性としては、前記装置が代わりの取り付け方向に取り付けられている場合でも、光源はドッキングベイを備えた他方の接点に取り付けることができる。
【００２１】
図5aに示すように、3ヶ所の空気の排気孔(9)は、前記箱(1)における上側に備えられており、さらに水の排水口(8.8a)は、前記箱(1)における底側に備えられている。
【００２２】
前記箱(1)は、光源を内部に備えるので、光源が作動している時に熱が、発生する。また空気の循環により放熱機構を備えることは、必然である。図5bにおいて、3ヶ所の空気の排気孔(9)は、箱形状の一部として、前記箱(1b)の上側に備えられている。
【００２３】
本発明は、雨にさらされる屋外において主として使用される。したがって、雨水が前記箱(1)の内部に蓄積しないように、水の排水機構を備えることは、必然のことである。図5cにおいて、内部及び外部の水の排水口(8.8a)は、箱形状の一部として、本発明の底側に一体化して備えられている。
【００２４】
図6に示すように、本実施例は、その正面及び装飾カバー(1.1a)が取り除かれた状態で、横方向に置かれている。センサーモジュール(3)は、ドッキングベイを備えた第１接点からドッキングベイを備えた第２接点に移されている。その時、ドッキングベイを備えた第１接点は、事故による感電死を避けるためにコードが抜かれている。この横の方向において、ドッキングベイを備えた第２接点は、作動可能であり、またドッキングベイを備えた第１接点は、コードが抜かれ作動不能である。
【００２５】
図7aと7bと7cとに示すように、内部及び外部の水の排水口(8.8a)は、前記箱(1b)の底側に備えられている。3ヶ所の空気の排気孔(9)は、前記箱(1b)の上側に備えられる。
【００２６】
図8aと8bとに示すように、尖頭部(10)は、前記箱(1b)の周辺部に沿って備えられている。前記尖頭部(10)は、水の浸入と固形物の進入による圧迫を軽減するだろう。
【００２７】
あらゆる修正と変形とが本発明の範囲から逸脱することなく一体型探知照明装置に取り入れられるという技術に優れていることは明らかである。
【００２８】
図9aと9bと9cとは、１つの光源、２つの光源と１つのリレー、及び２つの光源と２つのリレーを個々に内蔵する本発明のドッキングベイと端子ブロックとを各々備える２つの接点を接続している電気回路図を示している。１個のリレー図面においては、両方の光源は、同時にスイッチのオンオフがなされる。２個のリレー図面においては、それぞれの光源が独立してスイッチのオンオフがなされる。
本発明がより容易に理解され、実用的な効果をもたらすために、本発明の実施例が添付図面に表されている。
【図面の簡単な説明】
【００２９】
【図１】縦方向に取り付けられた本発明にかかる実施例の斜視図を示す。
【図２】図１で示される実施例において、正面及び装飾カバーを取り除いた、斜視図を示す。
【図３】図２で示される実施例において、センサーモジュールとプラグ手段を取り除いた、斜視図を示す。
【図４】(a)は、図２で示されるセンサーモジュールを連結するための歯止めあるいはスナップ機構の拡大図を示し、(b)は、メイルコネクタを見えるようにしたセンサーモジュールの下面図を示す。
【図５】(a)は、図１で示される具体例の正面及び装飾カバーを取り除いた斜視図を示し、(b)は、(a)で示される実施例の上部の拡大図を示し、(c)は、(a)で示される実施例の下部の拡大図を示す。
【図６】実施例の正面及び装飾カバーを取り除き、横方向に取り付けられた実施例の斜視図を示す。
【図７】(a)は、内部及び外部の水の排水口と、空気の排気孔とを備えた実施例の背面図を示し、(b)は、(a)で示す空気の排気口の拡大図を示し、(c)は、(a)で示す内部及び外部の水の排水口の拡大図を示す。
【図８】(a)は、一方の垂直面に突起部をもち、横方向に取り付けられた具体例の部分図を示し、(b)は、底部に配置された突起部の拡大図を示す。
【図９ａ】光源を内蔵している本発明の内部にドッキングベイと端子ブロックとを備えた２つの接点を結合している回路図を示す。
【図９ｂ】２つの光源と１つのリレーが内蔵されている本発明の内部の結合部分と端子ブロックとを備えた２つの接点を結合している回路図を示す。
【図９ｃ】２つの光源と２つのリレーを内蔵している本発明の内部の結合部分と端子ブロックとを備えた２つの接点を結合している回路図を示す。
【符号の説明】
【００３０】
1…正面カバー、3…センサーモジュール、4…プラグ手段、５…ドッキングベイ、9…排気孔
【図１】
2007012604.tif 000003
【図２】
2007012604.tif 000004
【図３】
2007012604.tif 000005
【図４】
2007012604.tif 000006
【図５】
2007012604.tif 000007
【図６】
2007012604.tif 000008
【図７】
2007012604.tif 000009
【図８】
2007012604.tif 000010
【図９ａ】
2007012604.tif 000011
【図９ｂ】
2007012604.tif 000012
【図９ｃ】
2007012604.tif 000013